(57)【特許請求の範囲】
【請求項１】
物体側から順に、負の屈折力を有する第１レンズと、正の屈折力を有する第２レンズの２枚のレンズから構成され、
第1レンズは、像側に凹面を向けた形状であり、
第２レンズは、物体側に凸面を向けた形状であり、
以下の条件式（１'）及び（２）を満たすことを特徴とする赤外線用光学系。
2.9  ≦  d/ｆ  ≦  5.5  ・・・・・・・・・・・・（１'）
ただし、
d：第1レンズの像側の面から第２レンズの物体側の面までの光軸上の距離
f：全系の焦点距離
-2.1  ≦  ｆ1/ｆ2  ≦  -0.80   ・・・・・・・・・（２）
ただし、
f1：第1レンズの焦点距離
f2：第2レンズの焦点距離
【請求項２】
更に、絞りが、前記第１レンズと第２レンズとの間に配置されていことを特徴とする請求項１に記載の赤外線用光学系。
【請求項３】
更に、前記第1レンズと第２レンズがゲルマニウムからなることを特徴とする請求項１または２に記載の赤外線用光学系。
【請求項４】
更に、以下の条件式（３）を満たすことを特徴とする請求項１から３のいずれか一項に記載の赤外線用光学系。
0.8  ≦  r2/ｆ  ≦  60          ・・・・・・・・（３）
ただし、
r2：第1レンズの像側の面の曲率半径
f ：全系の焦点距離
【発明の詳細な説明】
【技術分野】
【０００１】
本発明は、赤外線用光学系、さらに詳しくは、赤外線撮像装置等に用いる広角の赤外線用光学系に関する。ここで、赤外線とは、波長が３μｍ〜５μｍの中赤外線、及び波長が８μｍ〜１４μｍの遠赤外線を含む放射である。
【背景技術】
【０００２】
従来の赤外線用光学系は、使用されるゲルマニウム（Ge）、カルコゲナイト等の赤外線用レンズ材料が非常に高価であるため、少ないレンズ枚数で構成されることが強く望まれている。
【０００３】
（１）従来の２枚レンズ構成の赤外線用光学系としては、物体側から順に、共に硫化亜鉛（ＺｎＳ）を材料とする第１レンズＬ１および第２レンズＬ２の２枚のレンズで構成されたものが提案されている。第１レンズＬ１は、物体側に凸面を向けた正メニスカス形状で、かつ凹面側が回折作用を有する非球面形状、第２レンズＬ２は、少なくとも一方の面が非球面形状とされている（例えば、特許文献１参照）。
【０００４】
（２）従来の他の２枚レンズ構成の赤外線用光学系としては、３μｍから１４μｍまでの赤外線から遠赤外線までの波長域で用いられ、物体側より順に、物体側に凸面を向けた凸メニスカスの第１レンズと、物体側に凹面を向けた凸メニスカスの第２レンズの２枚のレンズで構成され、第１レンズと第２レンズの少なくとも一方の両面を回折光学素子面としたことを特徴とする赤外線光学系が提案されている（例えば、特許文献２参照）。
【０００５】
（３）従来の他の２枚レンズ構成の赤外線用光学系としては、物体側より順に、第１レンズＧ１と第２レンズＧ１とで構成し、第１レンズＧ１は物体側に凸面を向けた正メニスカス形状、第２レンズＧ２は像側に凸面を向けた正メニスカス形状とし、第１レンズＧ１の像側の面または第２レンズＧ２の物体側の面を回折光学面とし、回折光学面以外の１以上の面を非球面とする赤外線用光学系が提案されている（例えば、特許文献３参照）。
【０００６】
（４）一方、暗視野監視装置等に使用する赤外線用光学系は、広い静止監視領域をもつことが望まれ、画角の広い赤外線用光学系が提案されている。例えば、レンズの構成枚数が少なく、バックフォーカスが大きく、歪曲を含めた諸収差を良好に補正した明るい赤外光学系等を目指したもので、物体側から順に、少なくとも１枚の物体側に凸面を向けた負メニスカスレンズＬ１１を含む負の屈折力を有する第一レンズ群Ｇ１と、正の屈折力を有する第二レンズ群Ｇ２とから構成され、所定の条件式を満足する赤外線用光学系である（特許文献４参照）。
【先行技術文献】
【特許文献】
【０００７】
【特許文献１】特開２００３−２９５０５２号公報
【特許文献２】特開２０１０−１１３１９１号公報
【特許文献３】特開２０１１−１２８５３８号公報
【特許文献４】特開２００２−１９６２３３号公報
【発明の概要】
【発明が解決しようとする課題】
【０００８】
（１）特許文献１に開示された赤外線光学系は、２枚構成で画角が１８°である。レンズ構成は、物体側から順に、正レンズ、パワーの弱い正または負レンズという構成であるため、ペッツバール和が大きく、広角化すると像面をフラットに保つことが困難である。また、特許文献１の構成においては、画角が２０°を超える場合、レンズ２枚構成では軸外収差の補正が困難であるから、レンズ３枚構成となっている。
（２）引用文献２に開示された赤外線レンズは、２枚構成で画角が２８°の赤外線用光学系である。しかしそのレンズ構成が、物体側から順に、正レンズ、正レンズという構成であるため、ペッツバール和が大きく、広角化すると像面をフラットに保つことが困難である。
（３）引用文献３に開示された赤外線用結像レンズは、２枚構成で画角が３４°の赤外線用光学系であるが、物体側から順に、正レンズ、正レンズという構成であるため、ペッツバール和が大きく、広角化すると像面をフラットに保つことが困難である。
（４）引用文献４に開示された赤外光学系は、負レンズ先行タイプで画角が６６°である。しかし、構成レンズは、４枚又は５枚が必要であり、高い製造コストに加えレンズ透過やレンズ表面反射による光量損失が大きいという問題がある。
【０００９】
（発明の目的）
本発明は、赤外線用光学系に関する先行技術の上述した問題点に鑑みてなされたものであって、レンズ構成が２枚でありながら、広画角においても収差が良好に補正された赤外線用光学系を提供することを目的とする。特に、４０°から１１０°の広画角を得ても、ペッツバール和が大きくならず、像平面を確保できる赤外線用光学系を提供することを目的とする。
【課題を解決するための手段】
【００１０】
本発明は、
物体側から順に、負の屈折力を有する第１レンズと、正の屈折力を有する第２レンズの２枚のレンズから構成され、
第1レンズは、像側に凹面を向けた形状であり、
第２レンズは、物体側に凸面を向けた形状であり、
以下の条件式（１）を満たすことを特徴とする赤外線用光学系。
2.1  ≦  d/ｆ  ≦  11  ・・・・・・・・・・・・（１）
ただし、
d：第1レンズの像側の面から第２レンズの物体側の面までの光軸上の距離
f：全系の焦点距離
である。
なお、条件式（１）に関し、好ましくは、
2.9≦  d/ｆ  ≦  5.5   ・・・・・・・・・・・・（１’）
である。
【発明の効果】
【００１１】
本発明の赤外線用光学系によれば、レンズ構成が２枚でありながら、広画角においても収差が良好に補正された赤外線用光学系を構成することができる。特に、４０°から１１０°の広画角を得ても、ペッツバール和が大きくならず、像平面を確保した赤外線用光学系を構成できる。例えば、本発明の赤外線用光学系のペッツバール和は、引用文献２の赤外線用光学系の１／３以下にすることができる。
【００１２】
条件式（１）の下限を下回ると、ペッツバール和が大きくなり、像面を平面に保つのが難しく、広角化が困難になる。条件式（１）の上限を上回ると、倍率色収差の抑制が困難となる。また、各面における非点収差の発生量が大きくなり、製造誤差に対する光学性能の感度が高く、製造が難しくなる。
【００１３】
条件式（１’）を満たすことにより、広画角においても収差がより良好に補正された赤外線用光学系を構成することができる。特に、４０°から１１０°の広画角を得ても、ペッツバール和をより小さく抑え、より良い像平面を確保した赤外線用光学系を構成できる。
【００１４】
本発明の実施態様及びその効果は以下の通りである。
（実施態様１）
上記本発明の赤外線用光学系において、更に、絞りが、前記第１レンズと第２レンズとの間に配置されていことを特徴とする。
【００１５】
絞りを負の屈折力の第１レンズと正の屈折力の第２レンズとの間に配置することにより、両レンズにおいて軸外光線が低いところを通過するようになり、各レンズ面の軸外光線の非点収差等の発生量を抑えることができるので、少ないレンズ枚数であっても、非点収差を補正することができる。
また、負の屈折力の第１レンズを絞りより物体側に配置することにより、入射瞳を絞りより物体側の位置に形成し、さらに入射瞳の直径を小さくすることにより、赤外線用光学系で重要な課題である周辺光量の不足を大幅の抑えることができる。
一方、絞りを前記第１レンズと第２レンズとの間に配置することは、前記第１レンズと第２レンズの直径を小さくし易い。
【００１６】
（実施態様２）
上記本発明の赤外線用光学系において、更に、以下の条件式（２）を満たすことを特徴とする。
-2.1  ≦  ｆ1/ｆ2  ≦  -0.80  ・・・・・・・・・（２）
ただし、
f1：第1レンズの焦点距離
f2：第2レンズの焦点距離
【００１７】
条件式（２）の下限を下回ると、ペッツバール和が大きくなり、像面の平面性を保つことができず、広角化ができない。
条件式（２）の上限を上回ると、ペッツバール和が負の方向に大きくなる。条件式（２）の上限を上回ると、さらに各レンズ面での球面収差、コマ収差の発生量が大きくなり、収差の補正が困難になる。
【００１８】
条件式（２）に関し、好ましくは、
-1.6  ≦  ｆ1/ｆ2  ≦  -0.96  ・・・・・・・・・（２’）
である。
【００１９】
条件式（２’）を満たすことにより、ペッツバール和を小さく抑え、像面の平面性を保ってより広角化が可能となる。さらに、各レンズ面での球面収差、コマ収差の発生量が小さくり、収差の補正が容易になる。
【００２０】
（実施態様３）
上記本発明の赤外線用光学系において、更に、前記第１レンズと第２レンズがゲルマニウムからなることを特徴とする。
【００２１】
全てのレンズを屈折率が高く、色分散特性に優れたガラス材料であるゲルマニウムを使用することにより、カルコゲナイト等他のガラス材料を使用する場合に比較して、球面収差や色収差を抑制し易いという効果を得ることができる。
【００２２】
（実施態様４）
上記本発明の赤外線用光学系において、更に、以下の条件式（３）を満たすことを特徴とする。
0.8   ≦  r2/ｆ  ≦  60        ・・・・・・・・（３）
ただし、
r2：第1レンズの像側の面の曲率半径
f ：全系の焦点距離
【００２３】
条件式（３）の下限を下回る又は上限を上回ると、各レンズ面での球面収差、コマ収差、非点収差の発生量が大きくなり、赤外線用光学系全体の球面収差、コマ収差、非点集載物部の補正が困難になる。
【００２４】
条件式（３）に関し、好ましくは、
3.1  ≦  r2/ｆ  ≦  7.1        ・・・・・・・・（３’）
である。
【００２５】
条件式（３’）を満たすことにより、各レンズ面での球面収差、コマ収差の発生量が小さくり、収差の補正が容易になる。
【図面の簡単な説明】
【００２６】
【図１】本発明の第１実施形態の赤外線用光学系の光学断面図である。
【図２】本発明の第１実施形態の赤外線用光学系の収差図であり、（ａ）は球面収差図、（ｂ）は非点収差図、（ｃ）は歪曲収差図である。球面収差図（ａ）において、８，１０，１４はそれぞれ波長８μm、１０μｍ、１４μｍの球面収差を示す。非点収差図（ｂ）において、Ｓは波長１０μｍのサジタル方向の非点収差を示し、Ｍは波長１０μｍのメリジオナル方向の非点収差を示す。
【図３】本発明の第２実施形態の赤外線用光学系の光学断面図である。
【図４】本発明の第２実施形態の赤外線用光学系の収差図であり、（ａ）は球面収差差図、（ｂ）は非点収差図、（ｃ）は歪曲収差図である。球面収差図（ａ）において、８，１０，１４はそれぞれ波長８μｍ、１０μｍ、１４μｍの球面収差を示す。非点収差図（ｂ）において、Ｓは波長１０μｍのサジタル方向の非点収差を示し、Ｍは波長１０μｍのメリジオナル方向の非点収差を示す。
【図５】本発明の第３実施形態の赤外線用光学系の光学断面図である。
【図６】本発明の第３実施形態の赤外線用光学系の収差図であり、（ａ）は球面収差差図、（ｂ）は非点収差図、（ｃ）は歪曲収差図である。球面収差図（ａ）において、８，１０，１４はそれぞれ波長８μｍ、１０μｍ、１４μｍの球面収差を示す。非点収差図（ｂ）において、Ｓは波長１０μｍのサジタル方向の非点収差を示し、Ｍは波長１０μｍのメリジオナル方向の非点収差を示す。
【図７】本発明の第４実施形態の赤外線用光学系の光学断面図である。
【図８】本発明の第４実施形態の赤外線用光学系の収差図であり、（ａ）は球面収差図、（ｂ）は非点収差図、（ｃ）は歪曲収差図である。球面収差図（ａ）において、８，１０，１４はそれぞれ波長８μｍ、１０μｍ、１４μｍの球面収差を示す。非点収差図（ｂ）において、Ｓは波長１０μｍのサジタル方向の非点収差を示し、Ｍは波長１０μｍのメリジオナル方向の非点収差を示す。
【図９】本発明の第５実施形態の赤外線用光学系の光学断面図である。
【図１０】本発明の第５実施形態の赤外線用光学系の収差図であり、（ａ）は球面収差図、（ｂ）は非点収差図、（ｃ）は歪曲収差図である。球面収差図（ａ）において、８，１０，１４はそれぞれ波長８μｍ、１０μｍ、１４μｍの球面収差を示す。非点収差図（ｂ）において、Ｓは波長１０μｍのサジタル方向の非点収差を示し、Ｍは波長１０μｍのメリジオナル方向の非点収差を示す。
【図１１】本発明の第６実施形態の赤外線用光学系の光学断面図である。
【図１２】本発明の第６実施形態の赤外線用光学系の収差図であり、（ａ）は球面収差図、（ｂ）は非点収差図、（ｃ）は歪曲収差図である。球面収差図（ａ）において、８，１０，１４はそれぞれ波長８μｍ、１０μｍ、１４μｍの球面収差を示す。非点収差図（ｂ）において、Ｓは波長１０μｍのサジタル方向の非点収差を示し、Ｍは波長１０μｍのメリジオナル方向の非点収差を示す。
【図１３】本発明の第７実施形態の赤外線用光学系の光学断面図である。
【図１４】本発明の第７実施形態の赤外線用光学系の収差図であり、（ａ）は球面収差差図、（ｂ）は非点収差図、（ｃ）は歪曲収差図である。
【図１５】本発明の第８実施形態の赤外線用光学系の光学断面図である。
【図１６】本発明の第８実施形態の赤外線用光学系の収差図であり、（ａ）は球面収差差図、（ｂ）は非点収差図、（ｃ）は歪曲収差図である。球面収差図（ａ）において、８，１０，１４はそれぞれ波長８μｍ、１０μｍ、１４μｍの球面収差を示す。非点収差図（ｂ）において、Ｓは波長１０μｍのサジタル方向の非点収差を示し、Ｍは波長１０μｍのメリジオナル方向の非点収差を示す。
【図１７】本発明の第９実施形態の赤外線用光学系の光学断面図である。
【図１８】本発明の第９実施形態の赤外線用光学系の収差図であり、（ａ）は球面収差差図、（ｂ）は非点収差図、（ｃ）は歪曲収差図である。球面収差図（ａ）において、８，１０，１４はそれぞれ波長８μｍ、１０μｍ、１４μｍの球面収差を示す。非点収差図（ｂ）において、Ｓは波長１０μｍのサジタル方向の非点収差を示し、Ｍは波長１０μｍのメリジオナル方向の非点収差を示す。
【図１９】本発明の第１０実施形態の赤外線用光学系の光学断面図である。
【図２０】本発明の第１０実施形態の赤外線用光学系の収差図であり、（ａ）は球面収差図、（ｂ）は非点収差図、（ｃ）は歪曲収差図である。球面収差図（ａ）において、８，１０，１４はそれぞれ波長８μｍ、１０μｍ、１４μｍの球面収差を示す。非点収差図（ｂ）において、Ｓは波長１０μｍのサジタル方向の非点収差を示し、Ｍは波長１０μｍのメリジオナル方向の非点収差を示す。
【図２１】本発明の第９実施形態の赤外線用光学系の光学断面図である。
【図２２】本発明の第９実施形態の赤外線用光学系の収差図であり、（ａ）は球面収差差図、（ｂ）は非点収差図、（ｃ）は歪曲収差図である。球面収差図（ａ）において、８，１０，１４はそれぞれ波長８μｍ、１０μｍ、１４μｍの球面収差を示す。非点収差図（ｂ）において、Ｓは波長１０μｍのサジタル方向の非点収差を示し、Ｍは波長１０μｍのメリジオナル方向の非点収差を示す。
【図２３】本発明の第９実施形態の赤外線用光学系の光学断面図である。
【図２４】本発明の第１０実施形態の赤外線用光学系の収差図であり、（ａ）は球面収差図、（ｂ）は非点収差図、（ｃ）は歪曲収差図である。球面収差図（ａ）において、８，１０，１４はそれぞれ波長８μｍ、１０μｍ、１４μｍの球面収差を示す。非点収差図（ｂ）において、Ｓは波長１０μｍのサジタル方向の非点収差を示し、Ｍは波長１０μｍのメリジオナル方向の非点収差を示す。
【発明を実施するための形態】
【００２７】
以下に、本発明の赤外線レンズの実施形態のレンズデータ等を示す。波長は、１０μｍである。
（第１実施形態）
焦点距離:  f = 10.3mm
FNo.         = 1.0
画角（2ω）  = 70°
面番号   曲率半径     面間隔  光学材料     Nd
*1     337.1818      2.17     Ge        4.0044
*2      54.0041     20.41               1.0000
(絞り)3     INF        14.59               1.0000
*4      60.7849      4.27     Ge        4.0044
*5    -526.8440     24.71               1.0000
6       INF         1.00     Ge        4.0044
7       INF         1.00               1.0000
【００２８】
非球面係数
面   ε        A             B            C              D              E
1 1.0000  0.00000E+000  4.06482E-005  8.21676E-009  -8.37004E-010  -3.62747E-012
2 13.2725 0.00000E+000  4.61480E-005  9.19327E-008  -3.66826E-010  -1.60024E-011
4 0.4302  0.00000E+000 -7.08006E-007 -1.19004E-009  -4.24844E-012   8.30175E-014
5 1.0000  0.00000E+000  1.79662E-006 -3.50169E-009   1.75841E-012   8.44718E-014
【００２９】
条件式に係る値
条件式（１）      d/ｆ   ＝ 3.41
条件式（２）      ｆ1/ｆ2＝-1.18
条件式（３）      r2/ｆ  ＝ 5.27
【００３０】
（第２実施形態）
焦点距離:  f =11.5mm
FNo.         = 1.0
画角（2ω）  = 60°
【００３１】
面番号   曲率半径    面間隔  光学材料     Nd
*1  -2010.8899      2.34     Ge        4.0044
*2     75.3424     21.46               1.0000
(絞り)3      INF        14.38               1.0000
*4     70.4046      4.90     Ge        4.0044
*5   -323.1153     26.40               1.0000
6      INF         1.00     Ge        4.0044
7      INF         1.00               1.0000
【００３２】
非球面係数
面   ε        A             B             C             D              E
1 1.0000  0.00000E+000  7.17980E-005  -2.99560E-007  8.89654E-010  -4.74321E-012
2 1.0000  0.00000E+000  8.60264E-005  -1.86590E-007  6.75849E-010  -9.03629E-012
4 0.9309  0.00000E+000 -6.58696E-007  -8.42890E-010 -1.26210E-011   6.24055E-014
5 1.0000  0.00000E+000  1.64741E-006  -2.93559E-009 -7.59822E-012   6.17267E-014
【００３３】
条件式に係る値
条件式（１）      d/ｆ   ＝ 3.12
条件式（２）      ｆ1/ｆ2＝-1.24
条件式（３）      r2/ｆ  ＝ 6.55
【００３４】
（第３実施形態）
焦点距離:  f = 7.6mm
FNo.         = 1.0
画角（2ω）  = 110°
【００３５】
面番号   曲率半径    面間隔   光学材料    Nd
*1     47.9663      1.34     Ge       4.0044
*2     30.6174     38.31              1.0000
(絞り)3       INF       37.88              1.0000
*4     36.0899      4.35     Ge       4.0044
*5     75.6184     23.46              1.0000
6       INF        1.00     Ge       4.0044
7       INF        1.00
【００３６】
非球面係数
面   ε       A             B              C             D              E
1 1.0000  0.00000E+000  1.87737E-005  1.66360E-008  -1.02334E-010  -2.69329E-014
2 1.0000  0.00000E+000  2.51546E-005  3.54785E-008   9.94135E-011  -7.24854E-013
4 1.0000  0.00000E+000 -1.75435E-006  4.38951E-009  -6.35292E-012  -3.30332E-015
5 1.0000  0.00000E+000 -3.34829E-007  8.03368E-009  -1.75290E-011   8.75427E-015
【００３７】
条件式に係る値
条件式（１）      d/ｆ   ＝ 10.00
条件式（２）      ｆ1/ｆ2＝-1.41
条件式（３）      r2/ｆ  ＝ 4.02
【００３８】
（第４実施形態）
焦点距離:  f =16.7mm
FNo.         = 1.0
画角（2ω）  = 40°
【００３９】
面番号  曲率半径     面間隔  光学材料       Nd
*1   1486.3642      2.00     Ge         4.0044
*2    117.5351     36.79                1.0000
(絞り)3      INF         0.80                1.0000
*4     71.6121      4.88     Ge         4.0044
*5  -1195.4868     28.98                1.0000
6      INF         1.00     Ge         4.0044
7      INF         1.00
【００４０】
非球面係数
面   ε        A             B              C             D             E
1 1.0000  0.00000E+000  1.01116E-005  -1.70005E-008  -1.54714E-010  1.34054E-013
2 1.0000  0.00000E+000  1.49933E-005  -8.97612E-009  -1.71167E-010  8.15588E-014
4 -0.1005 0.00000E+000 -2.78230E-007   9.24795E-011  -3.06952E-012  9.17633E-015
5 1.0000  0.00000E+000  6.47781E-007  -4.85740E-010  -1.90099E-012  8.73265E-015
【００４１】
条件式に係る値
条件式（１）      d/ｆ   ＝ 2.26
条件式（２）      ｆ1/ｆ2＝-1.89
条件式（３）      r2/ｆ  ＝ 7.06
【００４２】
（第５実施形態）
焦点距離:  f = 8.2mm
FNo.         = 1.0
画角（2ω）  = 90°
【００４３】
面番号   曲率半径     面間隔  光学材料       Nd
*1   -2298.4854     1.47      Ge         4.0044
*2      44.2970     18.38                1.0000
(絞り)3       INF        11.71                1.0000
*4      70.8007      4.92     Ge         4.0044
*5    -149.3585     23.38                1.0000
6       INF         1.00     Ge         4.0044
7       INF         1.00                1.0000
【００４４】
非球面係数
面   ε        A             B             C             D             E
1 1.0000  0.00000E+000  2.08127E-004  -1.34785E-006  1.21830E-009  -1.18628E-012
2 1.0000  0.00000E+000  2.42061E-004  -4.53259E-007 -8.59963E-009   1.33456E-011
4 1.0000  0.00000E+000  1.61987E-006  -4.60274E-008  2.18211E-010  -2.97119E-013
5 1.0000  0.00000E+000  6.01072E-006  -5.48252E-008  2.58804E-010  -3.69564E-013
【００４５】
条件式に係る値
条件式（１）      d/ｆ   ＝ 3.67
条件式（２）      ｆ1/ｆ2＝-0.89
条件式（３）      r2/ｆ  ＝ 5.41
【００４６】
（第６実施形態）
焦点距離:  f =10.4mm
FNo.         = 1.0
画角（2ω）  = 70°
【００４７】
面番号   曲率半径     面間隔  光学材料      Nd
*1       12.6540      1.96     Ge         4.0044
*2        9.4345      8.02                1.0000
(絞り)3      INF        22.26                1.0000
*4       54.7505      5.94     Ge         4.0044
*5     -335.1926     20.53                1.0000
6        INF         1.00     Ge         4.0044
7        INF         1.00
【００４８】
非球面係数
面   ε       A             B              C             D             E
1 1.0000 0.00000E+000  -1.77800E-004  -1.35986E-006  1.74560E-008  -8.29206E-011
2 1.0000 0.00000E+000  -3.07086E-004  -3.27064E-006  5.83959E-008  -5.41319E-010
4 1.0000 0.00000E+000  -1.62690E-006   2.24846E-009  8.17462E-014  -4.67630E-015
5 1.0000 0.00000E+000   2.47744E-006   1.30831E-009 -1.37111E-012  -3.51700E-015
【００４９】
条件式に係る値
条件式（１）      d/ｆ   ＝ 2.92
条件式（２）      ｆ1/ｆ2＝-1.44
条件式（３）      r2/ｆ  ＝ 0.91
【００５０】
（第７実施形態）
焦点距離:  f =16.6mm
FNo.         = 1.0
画角（2ω）  = 40°
【００５１】
面番号   曲率半径     面間隔  光学材料      Nd
*1    -150.3697      1.99     Ge         4.0044
*2     831.6981     36.68                1.0000
(絞り)3       INF         0.79                1.0000
*4      73.2206      4.87     Ge         4.0044
*5    -920.8177     28.90                1.0000
6       INF         1.00     Ge         4.0044
7       INF         1.29
【００５２】
非球面係数
面   ε         A             B            C              D              E
1 1.0000  0.00000E+000  2.97092E-005  -6.59391E-008  -1.64006E-010  5.60486E-013
2 1.0000  0.00000E+000  3.38288E-005  -4.59588E-008  -2.39486E-010  6.68353E-013
4 -0.1005 0.00000E+000 -2.69826E-007  -6.94847E-010   6.82272E-013  2.25602E-015
5 1.0000  0.00000E+000  6.54883E-007  -1.27891E-009   2.05145E-012  1.14771E-015
【００５３】
条件式に係る値
条件式（１）      d/ｆ   ＝ 2.25
条件式（２）      ｆ1/ｆ2＝-1.87
条件式（３）      r2/ｆ  ＝ 50.00
【００５４】
（第８実施形態）
焦点距離:  f = 8.4mm
FNo.         = 1.0
画角（2ω）  = 90°
【００５５】
面番号  曲率半径     面間隔   光学材料    屈折率
*1    162.4908      1.11      Ge        4.0044
*2     43.4520     22.47                1.0000
(絞り)3     INF        11.18                1.0000
*4     46.2384      5.23      Ge        4.0044
*5   1416.8967     19.97                1.0000
6      INF         1.00      Ge        4.0044
7      INF                             1.0000
【００５６】
非球面係数
面   ε         A             B             C             D             E
1 1.0000  0.00000E+000  1.76405E-004  -1.01441E-006  3.24594E-009  -1.84502E-011
2 1.0000  0.00000E+000  2.02364E-004  -6.18613E-007  1.99954E-009  -3.86993E-011
4 1.0000  0.00000E+000  5.31536E-007  -2.71215E-008  1.80955E-010  -1.91888E-013
5 1.0000  0.00000E+000  5.56952E-006  -4.34697E-008  3.06620E-010  -4.54106E-013
【００５７】
条件式に係る値
条件式（１）      d/ｆ   ＝ 4.00
条件式（２）      ｆ1/ｆ2＝-1.25
条件式（３）      r2/ｆ  ＝ 5.17
【００５８】
（第９実施形態）
焦点距離: f = 8.1mm(λ=10μm)
FNo.        = 1.0
画角（2ω） = 96°
【００５９】
面番号   曲率半径    面間隔  光学材料     屈折率
*1     52.0447      1.06     Ge         4.0044
*2     29.2108     29.74                1.0000
(絞り)3     INF        14.43                1.0000
*4     40.7591      4.65     Ge         4.0044
*5    171.1160     20.74                1.0000
6      INF         1.00     Ge         4.0044
7      INF         1.00                1.0000
【００６０】
非球面係数
面   ε        A             B              C            D              E
1 1.0000  0.00000E+000  5.78551E-005  -8.53576E-008 -5.01290E-011  -3.67753E-012
2 1.0000  0.00000E+000  7.36817E-005  -5.20797E-009  1.33021E-009  -1.63103E-011
4 1.0000  0.00000E+000 -8.51070E-007  -2.13180E-008  1.06362E-010  -2.92503E-013
5 1.0000  0.00000E+000  2.69204E-006  -3.26778E-008  1.79624E-010  -4.83725E-013
【００６１】
条件式に係る値
条件式（１）      d/ｆ   ＝ 5.44
条件式（２）      ｆ1/ｆ2＝-1.32
条件式（３）      r2/ｆ  ＝ 3.60
【００６２】
（第１０実施形態）
焦点距離: f = 8.1mm(λ=10μm)
FNo.        = 1.0
画角（2ω） = 90°
【００６３】
面番号    曲率半径    面間隔  光学材料     屈折率
*1     138.4200      1.46     Ge         4.0044
*2      33.9541     18.17                1.0000
(絞り)3      INF        11.58                1.0000
*4      64.8832      4.86     Ge         4.0044
*5    -164.2972     22.02                1.0000
6       INF         1.00     Ge         4.0044
7       INF         1.00                1.0000
【００６４】
非球面係数
面    ε        A            B              C            D             E
1  1.0000  0.00000E+000  1.88517E-004 -8.44557E-007 -6.67904E-010  -1.03254E-011
2  1.0000  0.00000E+000  2.27891E-004  1.18665E-008 -4.43672E-009  -6.61074E-011
4  1.0000  0.00000E+000  1.23922E-006 -4.02577E-008  2.54964E-010  -2.80349E-013
5  1.0000  0.00000E+000  6.26082E-006 -5.31975E-008  3.29460E-010  -4.08537E-013
【００６５】
条件式に係る値
条件式（１）      d/ｆ   ＝ 3.67
条件式（２）      ｆ1/ｆ2＝-0.96
条件式（３）      r2/ｆ  ＝ 4.19
【００６６】
（第１１実施形態）
焦点距離: f =10.2mm(λ=10μm)
FNo.        = 1.0
画角（2ω） =70°
【００６７】
面番号   曲率半径    面間隔  光学材料     屈折率
*1     16.5671      1.92     Ge         4.0044
*2     12.5558     16.15                1.0000
(絞り)3      INF       21.08                1.0000
*4     47.7710      5.82     Ge         4.0044
*5    723.4824     20.50                1.0000
6       INF        1.00     Ge         4.0044
7       INF        1.00                1.0000
【００６８】
非球面係数
面   ε        A              B              C            D             E
1 1.0000  0.00000E+000  -4.22239E-005  -9.59012E-007  1.17684E-008 -5.05490E-011
2 1.0000  0.00000E+000  -5.74346E-005  -2.04963E-006  3.12237E-008 -1.78038E-010
4 1.0000  0.00000E+000  -2.42970E-006   1.35178E-008 -6.69483E-011  7.17135E-014
5 1.0000  0.00000E+000   7.54192E-007   1.76076E-008 -1.05060E-010  1.46793E-013
【００６９】
条件式に係る値
条件式（１）      d/ｆ   ＝ 3.66
条件式（２）      ｆ1/ｆ2＝-1.59
条件式（３）      r2/ｆ  ＝ 1.23
【００７０】
（第１２実施形態）
焦点距離: f = 8.5mm(λ=10μm)
FNo.        = 1.0
画角（2ω） =90°
【００７１】
面番号   曲率半径     面間隔   光学材料   屈折率
*1      44.8927      1.11       Ge       4.0044
*2      26.2305     26.66                1.0000
(絞り)3      INF        17.88                1.0000
*4      45.3080      4.83       Ge       4.0044
*5     236.8980     22.63                1.0000
6       INF         1.00       Ge       4.0044
7       INF         1.00                1.0000
【００７２】
非球面係数
面   ε         A             B             C            D             E
1  1.0000  0.00000E+000  1.28452E-005  1.47431E-007 -9.86571E-010 -1.94212E-012
2  1.0000  0.00000E+000  2.37849E-005  2.20580E-007 -7.87749E-011 -1.18649E-011
4  1.0000  0.00000E+000 -1.50872E-006 -5.19557E-009  2.93309E-011 -1.04649E-013
5  1.0000  0.00000E+000  1.28141E-006 -8.12332E-009  4.31903E-011 -1.43361E-013
【００７３】
条件式に係る値
条件式（１）      d/ｆ   ＝ 5.26
条件式（２）      ｆ1/ｆ2＝-1.20
条件式（３）      r2/ｆ  ＝ 3.10
【符号の説明】
【００７４】
STOP        絞り
IMG         結像
L１          第１レンズ
L２          第２レンズ
【図１】
0005906859.tif 000002
【図２】
0005906859.tif 000003
【図３】
0005906859.tif 000004
【図４】
0005906859.tif 000005
【図５】
0005906859.tif 000006
【図６】
0005906859.tif 000007
【図７】
0005906859.tif 000008
【図８】
0005906859.tif 000009
【図９】
0005906859.tif 000010
【図１０】
0005906859.tif 000011
【図１１】
0005906859.tif 000012
【図１２】
0005906859.tif 000013
【図１３】
0005906859.tif 000014
【図１４】
0005906859.tif 000015
【図１５】
0005906859.tif 000016
【図１６】
0005906859.tif 000017
【図１７】
0005906859.tif 000018
【図１８】
0005906859.tif 000019
【図１９】
0005906859.tif 000020
【図２０】
0005906859.tif 000021
【図２１】
0005906859.tif 000022
【図２２】
0005906859.tif 000023
【図２３】
0005906859.tif 000024
【図２４】
0005906859.tif 000025